(57)【要約】【課題】パワーコンディショナの交流出力電圧の脈動を増大させることなく平滑用のキャパシタの容量を低減できるようにする。【解決手段】パワーコンディショナに複数のセルモジュール２１とバッファ用リアクトルと出力制御装置と充電回路制御装置とを備える。セルモジュール２１は、セル端子間に少なくとも２つの直列に設けられたスイッチ３１とスイッチ３１に直列に接続されたキャパシタ３２とキャパシタ３２に並列に設けられたバッテリー３３とバッテリーの充放電を制御する充電回路とを備える。複数のセルモジュール２１は、パワーコンディショナの入力端子の間に直列に設けられる。バッファ用リアクトルは、セルモジュール２１に直列に設けられる。出力制御装置は、入力端子から入力される直流電流を交流電流に変換するようにスイッチ３１を制御する。充電回路制御装置は、キャパシタ３２の電圧の変動を抑制するようにバッテリー３３の充放電を制御する。【選択図】図２
2018038109.tif 000002
【特許請求の範囲】
【請求項１】
入力端子から入力される直流電流を交流電流に変換して出力端子から出力するパワーコンディショナにおいて、
セル端子間に並列で逆向きに設けられたスイッチと前記スイッチの一方に直列に接続されたキャパシタと前記キャパシタに並列に設けられた蓄電デバイスと前記蓄電デバイスの充放電を制御する充電回路とを備えて前記入力端子の間に直列に設けられた複数のセルモジュールと、
前記セルモジュールに直列に設けられたバッファ用リアクトルと、
前記入力端子から入力される直流電流を交流電流に変換するように前記スイッチを制御する出力制御装置と、
前記キャパシタの電圧の変動を抑制するように前記バッテリーの充放電を制御する充電回路制御装置と、
を有することを特徴とするパワーコンディショナ。
【請求項２】
前記充電回路制御装置は、前記キャパシタの両端の電圧を測定するキャパシタ電圧センサーを備えて前記キャパシタ電圧センサーが測定したキャパシタ電圧をフィードバックして前記蓄電デバイスの充放電を制御する、ことを特徴とする請求項１に記載のパワーコンディショナ。
【請求項３】
前記充電回路制御装置は、前記バッファ用リアクトルに流れる電流を測定するリアクトル電流センサーを備えて前記リアクトル電流センサーが測定したリアクトル電流の脈動成分をフィードフォワードして前記蓄電デバイスの充放電を制御する、ことを特徴とする請求項１に記載のパワーコンディショナ。
【請求項４】
前記充電回路は２つの充電用スイッチを備え、
前記充電制御回路は前記充電用スイッチのデューティー比を制御するものである、
ことを特徴とする請求項１ないし請求項３のいずれか１項に記載のパワーコンディショナ。
【請求項５】
前記充電制御回路は前記蓄電デバイスが充電および放電が切り替わらないように一定のバイアスを付加するものであることを特徴とする請求項１ないし請求項４のいずれか１項に記載のパワーコンディショナ。
【請求項６】
複数の直流電源が出力する直流電流を交流電流に変換して出力端子から出力するパワーコンディショナにおいて、
セル端子間に並列で逆向きに設けられた２つのスイッチと前記スイッチの一方に直列に接続されたキャパシタと前記キャパシタに並列に設けられた蓄電デバイスと前記蓄電デバイスの充放電を制御する充電回路と１つの前記直流電源を前記キャパシタに並列に接続する接続端子に設けられた昇圧チョッパ回路とを備えて前記入力端子の間に直列に設けられた複数のセルモジュールと、
前記セルモジュールに直列に設けられたバッファ用リアクトルと、
前記直流電流を交流電流に変換するように前記スイッチを制御する出力制御装置と、
前記キャパシタの電圧の変動を抑制するように前記バッテリーの充放電を制御する充電回路制御装置と、
を有することを特徴とするパワーコンディショナ。
【発明の詳細な説明】
【技術分野】
【０００１】
本発明は、入力端子から入力される直流電流を交流電流に変換して出力端子から出力するパワーコンディショナに関する。
【背景技術】
【０００２】
近年、太陽光発電システムが広く普及しつつある。このような電源はパワーコンディショナ（ＰＣＳ：Ｐｏｗｅｒ  Ｃｏｎｄｉｔｉｏｎｉｎｇ  Ｓｙｓｔｅｍ）により商用電力系統に連系される。【０００３】
太陽光発電を電力系統連系させるパワーコンディショナとして、多くの製品が市販されている。太陽光発電の直流を交流に変換するインバータは、シングルモジュールによるＰＷＭ方式が主流である。メガソーラー用途のインバータとしては、高電圧を出力し高調波を抑制するため、諧調制御型で変圧器を用いないＭＭＣ（Ｍｏｄｕｌａｒ  Ｍｕｌｔｉｌｅｖｅｌ  Ｃｏｎｖｅｒｔｅｒ）方式が提案されている。
【先行技術文献】
【非特許文献】
【０００４】
【非特許文献１】本多 貴洋，浜崎真一，辻 峰男,「蓄電機能を持つMMC形式の新しいパワーコンディショナ回路方式」,平成27年電気学会産業応用部門大会,No.Y-36, pp.36 (2015.9)
【非特許文献２】Shin-ichi Hamasaki, Takahiro Honda, Mineo Tsuji, "Novel Circuitof Power Conditioning System with Energy Storage Applying Modular MultilevelConverter Structure", 37th International Telecommunications EnergyConference (INTELEC), No.PS08-37, pp.1064-1069 (2015.10)
【発明の概要】
【発明が解決しようとする課題】
【０００５】
太陽光発電は日射量により発電量が変動するため、系統連系の安定性に影響を及ぼす可能性がある。モジュラー・マルチレベル・コンバーター（ＭＭＣ：Ｍｏｄｕｌａｒ  Ｍｕｌｔｉｌｅｖｅｌ  Ｃｏｎｖｅｒｔｅｒ）は、回路のコンバータ部に用いるコンデンサの電圧を一定に保つ制御が必要である。一般的なＭＭＣ回路構成では、電圧に交流出力周波数の成分とその２倍周波数成分の脈動が発生し、交流出力電圧に影響を与える。このような脈動を減らすために、平滑用の容量が大きい電解コンデンサを必要とする。電解コンデンサは、寿命が短くコストが大きい。【０００６】
そこで、本発明は、入力端子から入力される直流電流を交流電流に変換して出力端子から出力するパワーコンディショナにおいて、交流出力電圧の脈動を増大させることなく平滑用のキャパシタの容量を低減できるようにすることを目的とする。
【課題を解決するための手段】
【０００７】
上記の目的を達成するため、本発明は、入力端子から入力される直流電流を交流電流に変換して出力端子から出力するパワーコンディショナにおいて、セル端子間に少なくとも２つの直列に設けられたスイッチと前記スイッチに直列に接続されたキャパシタと前記キャパシタに並列に設けられたバッテリーと前記バッテリーの充放電を制御する充電回路とを備えて前記入力端子の間に直列に設けられた複数のセルモジュールと、前記セルモジュールに直列に設けられたバッファ用リアクトルと、前記入力端子から入力される直流電流を交流電流に変換するように前記スイッチを制御する出力制御装置と、前記キャパシタの電圧の変動を抑制するように前記バッテリーの充放電を制御する充電回路制御装置と、を有することを特徴とする。
【発明の効果】
【０００８】
本発明によれば、入力端子から入力される直流電流を交流電流に変換して出力端子から出力するパワーコンディショナにおいて、交流出力電圧の脈動を増大させることなく平滑用のキャパシタの容量を低減できるようにすることができる。
【図面の簡単な説明】
【０００９】
【図１】本発明に係るパワーコンディショナの２相交流の場合の一実施の形態の回路図である。
【図２】本発明に係るパワーコンディショナの一実施の形態に用いるセルモジュールの回路図である。
【図３】本発明に係るパワーコンディショナの一実施の形態のブロック図である。
【図４】本発明に係るパワーコンディショナの一実施の形態に用いる充電回路制御装置の制御ブロック図である。
【図５】本発明に係るパワーコンディショナの一実施の形態に用いる充電回路制御装置の他の例の制御ブロック図である。
【図６】本発明に係るパワーコンディショナの一実施の形態の各部の電圧および電流のシミュレーション結果を比較例とともに示すグラフである。
【図７】比較例のパワーコンディショナの充電回路制御装置の制御ブロック図である。
【図８】本発明に係るパワーコンディショナの３相交流の場合の一実施の形態の回路図である。
【図９】本発明に係るパワーコンディショナの２相交流の場合の別の実施の形態の回路図である。
【図１０】本発明に係るパワーコンディショナの一実施の形態の変形例に用いるセルモジュールの回路図である。
【図１１】本発明に係るパワーコンディショナの一実施の形態の他の変形例の回路図である。
【図１２】本発明に係るパワーコンディショナの一実施の形態の他の変形例に用いるセルモジュールの回路図である。
【発明を実施するための形態】
【００１０】
本発明に係るパワーコンディショナの一実施の形態を、図面を参照して説明する。なお、この実施の形態は単なる例示であり、本発明はこれに限定されない。同一または類似の構成には同一の符号を付し、重複する説明は省略する。
【００１１】
図１は、本発明に係るパワーコンディショナの２相交流の場合の一実施の形態における回路図である。図２は、本実施の形態のパワーコンディショナに用いるセルモジュールの回路図である。図３は、本実施の形態のパワーコンディショナのブロック図である。
【００１２】
本実施の形態では、フルブリッジ・モジュラー・マルチレベル・コンバータ型パワーコンディショナ（フルブリッジＭＭＣ型ＰＣＳ）を例として、説明する。
【００１３】
本実施の形態のパワーコンディショナ（ＰＣＳ）１３は、入力端子１０に入力された直流電源１２の直流電流を交流電流に変換して出力端子１４に出力する。直流電源１２は、たとえば太陽光発電装置である。出力端子１４には、負荷１６および商用電力系統１８が接続される。
【００１４】
パワーコンディショナ１３は、４つのセルモジュール２１、２２、２３、２４を有する。４つのセルモジュール２１、２２、２３、２４は、上アームに属するセルモジュール２１、２２と下アームに属するセルモジュール２３、２４とに分類できる。また、４つのセルモジュールは、ｕ相に属するセルモジュール２１、２３と、ｖ相に属するセルモジュール２２，２４とに分類できる。
【００１５】
ｕ相に属するセルモジュール２１、２３は、入力端子１０の間に直列に接続される。また、ｖ相に属するセルモジュール２２，２４は、入力端子１０の間に直列に接続される。直列に接続されたｕ相に属する２つのセルモジュール２１、２３と直列に接続されたｖ相に属する２つのセルモジュール２２，２４とは、並列に入力端子１０の間に接続される。それぞれのセルモジュール２１、２２、２３、２４は、図２に示す同一の回路構成であり、以下総称してセルモジュール２１と称する。
【００１６】
セルモジュール２１は、４つのスイッチ３１とキャパシタ３２とバッテリー３３と充電用スイッチ３４−１、３４−２とを有している。バッテリー３３は、たとえば電気二重層コンデンサ（ＥＤＬＣ）などの充電可能な蓄電デバイスである。
【００１７】
４つのスイッチ３１は、直列に接続された２つのスイッチがそれぞれ組になっており、２つの組は互いに並列に接続されている。組をなす２つのスイッチ３１の接続部分がセル端子を形成し、セルモジュール２１の外部にそれぞれ接続されている。したがって、セル端子間には、並列で逆向きに２つのスイッチが設けられていて、それぞれ一方のスイッチが他方の１つのスイッチと組をなしている。
【００１８】
キャパシタ３２は、４つのスイッチ３１に並列に接続されている。キャパシタ３２とセルモジュール２１の外部との間には、それぞれ１つのスイッチが存在している。したがって、キャパシタ３２は、セル端子間に並列で逆向きに設けられた２つのスイッチの一方に直列に接続されている。
【００１９】
キャパシタ３２の両端には、また、直列に接続された２つの充電用スイッチ３４が接続されている。一方の充電用スイッチ３４の両端には、バッテリー３３が接続されている。２つの充電用スイッチ３４は、バッテリー３３の充放電を制御する充電回路を構成している。この充電回路は、直流電源１２の出力が負荷１６に対して足りないときには放電し、過剰なときには充電する。この制御は、たとえば充電回路制御装置４３が行う。
【００２０】
パワーコンディショナ１３は、出力制御装置４１および充電回路制御装置４３を有している。出力制御装置４１は、それぞれのセルモジュール２１のスイッチ３１を制御して直流電源１２の出力を商用電力系統１８に連携可能な交流電力に変換する。充電回路制御装置４３は、セルモジュール２１内のキャパシタ３２の電圧の変動を抑制するようにバッテリー３３の充放電を制御する。
【００２１】
次に、充電回路制御装置４３における制御方式を説明する。制御方式として、第１の制御方式と第２の制御方式とがある。
［第１の制御方式］
図４は、本実施の形態のパワーコンディショナに用いる充電回路制御装置の制御ブロック図である。
【００２２】
図４において、ｉおよびｊはセルモジュール２１を示すインデックスであり、ｉ＝１は上アーム、ｉ＝２は下アーム、ｊ＝１はｕ相、ｊ＝２はｖ相を示す。Ｐｐｖは直流電源１２の発電電力、ＰＬは負荷１６の消費電力、ｖＣ＊はセルモジュール２１内のキャパシタ３２の電圧の目標値、ｖＣｉｊはキャパシタ３２の電圧の測定値である。
【００２３】
ｉｅｉｊは、セルモジュール２１内のバッテリー３３に流れる電流の測定値である。具体的には、ｉｅｉｊは、バッテリー３３に直列に接続されたリアクトルＬ１を流れる電流ｉｅとして計測される。
【００２４】
ｉｅＤＣｉｊ２は、セルモジュール２１内のバッテリー３３に流れる電流ｉｅｉｊの直流成分である。具体的には、ｉｅＤＣｉｊ２は、バッテリー３３に直列に接続されたリアクトルＬ１を流れる電流ｉｅ値にローパスフィルタ（ＬＰＦ）をかけて直流成分のみを取り出したものである。
【００２５】
Ｖｅｉｊは、バッテリー３３の両端の電圧の測定値である。Ｄｉｊは、充電用スイッチ３４−２を基準にＰＷＭ制御を行うときの充電用スイッチ３４−２のデューティー比である。
【００２６】
図４に示すように、まず、電力授受バランス演算として直流電源１２の発電電力Ｐｐｖと負荷１６の消費電力ＰＬとの差を求める。この差の電力Ｐｅを４つのセルモジュールで均等に担当するとすれば、４Ｖｅｉｊで除して、バッテリー３３に流れる電流の第１の目標値ｉｅｉｊ１＊が求められる。
【００２７】
次に、バッテリー３３に流れる電流の第１の目標値ｉｅｉｊ１＊とバッテリー３３に流れる電流の脈動成分の目標値ｉｅＡＣｉｊ２＊との和を求める。バッテリー３３に流れる電流の脈動成分の目標値ｉｅＡＣｉｊ２＊は、キャパシタ３２の電圧の目標値ｖＣ＊とキャパシタ３２の電圧ｖＣijとの差をフィードバックしてＰＩ制御することによりバッテリー３３に流れる電流の第２の目標値ｉｅｉｊ２＊を求め、この目標値ｉｅｉｊ２＊からバッテリー３３に流れる電流の直流成分ｉｅＤＣｉｊ２を減じたものである。
【００２８】
バッテリー３３に流れる電流の第１の目標値ｉｅｉｊ１＊とバッテリー３３に流れる電流の脈動成分の目標値ｉｅＡＣｉｊ２＊との和は、バッテリー３３に流れる電流の真の目標値ｉｅｉｊ＊である。バッテリー３３に流れる電流の真の目標値ｉｅｉｊ＊とバッテリー３３に流れる電流の測定値ｉｅｉｊとの差をフィードバックしてＰＩ制御することにより、バッテリー３３の電圧の目標値ｖｅＬｉｊ＊が求められる。
【００２９】
バッテリー３３の電圧の目標値ｖｅＬｉｊ＊とバッテリー３３の電圧ｖｅｉｊとの差をキャパシタ３２の電圧ｖＣｉｊで規格化し、さらに、その比を１から減ずることにより充電用スイッチ３４−２のデューティー比Ｄｉｊが求められる。
【００３０】
このようにして得られたデューティー比Ｄｉｊに基づいて、充電回路の充電用スイッチ３４−２を基準に充電用スイッチ３４−１はその負論理としてＰＷＭ制御される。
【００３１】
一方で出力制御装置４１は、４つのスイッチ３１を制御して３階調の矩形波である交流を発生させる。例えば図１におけるセルモジュール２１の出力電圧ｖ１ｕは、直流である発電装置の出力電圧Ｅｐｖに相当する電圧を重畳した交流である。ｕ相を構成するセルモジュール２１と２３、およびｖ相を構成するセルモジュール２２と２４は合成されて、それぞれ５階調の略正弦波の交流となり、ｕ相とｖ相を合成した出力電圧ｖｏは７階調の略正弦波の交流となる。それぞれのセルモジュール２１、２２、２３、２４の直流成分は互いに相殺され、出力電圧ｖｏは交流成分のみとなり、キャパシタＣｆにより平滑化されて負荷１６および商用電力系統１８に供給される。
［第２の制御方式］
図５は、本実施の形態のパワーコンディショナに用いる充電回路制御装置の他の例の制御ブロック図である。
【００３２】
図５において、ｉおよびｊはセルモジュール２１を示すインデックスであり、ｉ＝１は上アーム、ｉ＝２は下アーム、ｊ＝１はｕ相、ｊ＝２はｖ相を示す。Ｐｐｖは直流電源１２の発電電力、ＰＬは負荷１６の消費電力、ｉｋはバッファリアクトルＬを流れる電流、ｖＣｉｊはキャパシタ３２の電圧の測定値である。
【００３３】
ｉｅｉｊは、セルモジュール２１内のバッテリー３３に流れる電流の測定値である。具体的には、ｉｅｉｊは、バッテリー３３に直列に接続されたリアクトルＬ１を流れる電流ｉｅとして計測される。
【００３４】
ｉｐｃＤＣｉｊは、セルモジュール２１内のバッテリー３３に流れる電流ｉｅｉｊの直流成分である。具体的には、ｉｐｃＤＣｉｊは、キャパシタ３２に流れ込む電流の直流成分である。
【００３５】
Ｖｅｉｊは、バッテリー３３の両端の電圧の測定値である。Ｄｉｊは、充電用スイッチ３４−２を基準にＰＷＭ制御を行うときの充電用スイッチ３４−２のデューティー比である。
【００３６】
図５に示すように、まず、電力授受バランス演算として直流電源１２の発電電力Ｐｐｖと負荷１６の消費電力ＰＬとの差を求める。この差の電力Ｐｅを４つのセルモジュールで均等に担当するとすれば、４Ｖｅｉｊで除して、バッテリー３３に流れる電流の第１の目標値ｉｅｉｊ１＊が求められる。
【００３７】
次に、バッテリー３３に流れる電流の第１の目標値ｉｅｉｊ１＊とバッテリー３３に流れる電流の第２の目標値ｉｅｉｊ２＊との和を求める。バッテリー３３に流れる電流の第２の目標値ｉｅｉｊ２＊は、以下のようにして求める。
【００３８】
まず、バッファリアクトルＬを流れる電流ｉｋから、それにセルモジュールの出力電圧の目標値Ｖｉｊ＊とキャパシタ３２の電圧測定値ＶＣｉｊの比、すなわちブリッジ回路の変調比率を掛けて、キャパシタ３２に流れ込む電流ｉｐｃｉｊを求める。このキャパシタ３２に流れ込む電流ｉｐｃｉｊから直流成分ｉｐｃＤＣｉｊを減ずることにより、キャパシタ３２に流れ込む電流の脈動成分の目標値ｉｐｃＡＣｉｊ＊を求める。キャパシタ３２に流れ込む電流の直流成分ｉｐｃＤＣｉｊは、キャパシタ３２に流れ込む電流ｉｐｃｉｊをＬＰＦに通すことにより得られる。
【００３９】
キャパシタ３２に流れ込む電流の脈動成分の目標値ｉｐｃＡＣｉｊ＊に基づいて、それを打ち消す反転した交流を出力するために（−１）倍して、バッテリー３３側からキャパシタ３２に流れ込む電流の目標値ｉｅｓｉｊ＊が得られる。バッテリー３３側からキャパシタ３２に流れ込む電流の目標値ｉｅｓｉｊ＊から、それにキャパシタ３２の電圧測定値ＶＣｉｊとバッテリー３３の電圧Ｖｅｉｊとの比、すなわちチョッパ変換比率を掛けて、バッテリー３３に流れる電流の第２の目標値ｉｅｉｊ２＊を求める。
【００４０】
バッテリー３３に流れる電流の第１の目標値ｉｅｉｊ１＊とバッテリー３３に流れる電流の脈動成分の目標値ｉｅｉｊ２＊との和は、バッテリー３３に流れる電流の真の目標値ｉｅｉｊ＊である。バッテリー３３に流れる電流の真の目標値ｉｅｉｊ＊とバッテリー３３に流れる電流の測定値ｉｅｉｊとの差をフィードバックしてＰＩ制御することにより、バッテリー３３の電圧の目標値ｖｅＬｉｊ＊が求められる。
【００４１】
バッテリー３３の電圧の目標値ｖｅＬｉｊ＊とバッテリー３３の電圧ｖｅｉｊとの差をキャパシタ３２の電圧ｖＣｉｊで規格化し、さらに、その比を１から減ずることにより充電用スイッチ３４−２のデューティー比Ｄｉｊが求められる。
【００４２】
このようにして得られたデューティー比Ｄｉｊに基づいて、充電回路の充電用スイッチ３４−２を基準に充電用スイッチ３４−１はその負論理として、ＰＷＭ制御される。
【００４３】
図６は、本実施の形態のパワーコンディショナの各部の電圧および電流のシミュレーション結果を比較例とともに示すグラフである。図６において、上段の３つのグラフは比較例とする基準形のシミュレーション結果、中段の３つのグラフは本実施の形態の第１の方式における制御を行ったケースのシミュレーション結果、下段の３つのグラフは本実施の形態の第２の方式における制御を行ったケースのシミュレーション結果である。左側の列のグラフは、それぞれのケースにおけるセルモジュール２１内のキャパシタ３２の電圧である。中央の列のグラフは、それぞれのケースにおける発電装置の出力電流である。右側の列のグラフは、それぞれのケースにおけるセルモジュール２１内のバッテリー３３の出力電流である。
【００４４】
図７は、比較例のパワーコンディショナの充電回路制御装置の制御ブロック図である。
【００４５】
本実施の形態の制御方法を用いた２つのケースでは、バッテリー３３の出力電流が変動することにより、セルモジュール２１のキャパシタ３２の電圧の変動が大幅に抑制されていることがわかる。
【００４６】
このように、本実施の形態では、入力端子から入力される直流電流を交流電流に変換して出力端子から出力するパワーコンディショナにおいて、交流出力電圧の脈動を増大させることなくそれぞれのセルモジュール内のキャパシタの容量を低減できる。その結果、セルモジュール２１内のキャパシタ３２の容量を小さくすることができる。このため、セルモジュール２１内のキャパシタ３２として、たとえば電解コンデンサなどの大容量であるが寿命が短いコンデンサではなく、寿命の長いフィルムコンデンサ、あるいは、セラミックコンデンサを用いることができる。
【００４７】
図６の右側の列のグラフのセルモジュール２１内のバッテリー３３の出力電流は、中段の本実施の形態の第１の方式における制御を行った結果および下段の本実施の形態の第２の方式における制御を行った結果ともに、電流がプラス側とマイナス側にわたって脈動している。この場合にはバッテリーが微小な充放電を繰り返すことになる。それを避けるためには、上段の電力授受バランスをとるための制御量（バッテリー３３に流れる電流の第１の目標値ｉｅｉｊ１＊）に一定のバイアスを付加することによって、バッテリー３３が放電モードのときは電流値がプラス側だけで脈動するように、あるいはバッテリー３３が充電モードのときは電流値がマイナス側だけで脈動するようにすることができる。これにより、バッテリー３３の充放電のサイクル数を低減することができる。
【００４８】
上述の実施の形態では、フルブリッジ型を例として説明したが、ハーフブリッジ型でも同様の構成により同様の効果を得ることができる。すなわち、２つのセルモジュール２１，２３のみ、もしくは他の２つのセルモジュール２２，２４のみのハーフブリッジ型でもよい。
【００４９】
図８は、本発明に係るパワーコンディショナの３相交流の場合の一実施の形態の回路図である。
【００５０】
パワーコンディショナ５０は、６つのセルモジュール２１，２２，２３，２４，２５，２６を有する。６つのセルモジュールは、上アームに属するセルモジュール２１、２２、２５と下アームに属するセルモジュール２３，２４，２６とに分類できる。また、６つのセルモジュールは、ｕ相に属するセルモジュール２１，２３と、ｖ相に属するセルモジュール２２，２４、ｗ相に属するセルモジュール２５，２６とに分類できる。それぞれのセルモジュール２１，２２，２３，２４，２５，２６は図２に示すセルモジュール２１と同一の回路構成である。
【００５１】
このように、本実施の形態では、入力端子から入力される直流電流を交流電流に変換して出力端子から出力するパワーコンディショナにおいて、産業用途で使用される３相交流システムに適用することができる。
【００５２】
図９は、本発明に係るパワーコンディショナの２相交流の場合の別の実施の形態の回路図である。
【００５３】
パワーコンディショナ６０は、８つのセルモジュール２１−１，２１−２，２２−１，２２−２，２３−１，２３−２，２４−１，２４−２を有する。８つのセルモジュールは、上アームに属するセルモジュール２１−１，２１−２，２２−１，２２−２と下アームに属するセルモジュール２３−１，２３−２，２４−１，２４−２とに分類できる。また、８つのセルモジュールは、ｕ相に属するセルモジュール２１−１，２１−２，２３−１，２３−２と、ｖ相に属するセルモジュール２２−１，２２−２，２４−１，２４−２とに分類できる。それぞれのセルモジュールは図２に示すセルモジュール２１と同一の回路構成である。
【００５４】
本実施の形態では、上アームに属しu相に属するセルモジュール、下アームに属しu相に属するセルモジュール、上アームに属しｖ相に属するセルモジュール、下アームに属しｖ相に属するセルモジュールがそれぞれ２個ずつあるため、その内の１個が故障してもパワーコンディショナ全体として、効率は低下するものの、連続稼働することが可能となる。本実施の形態では２相交流のフルブリッジ型を例として説明したが、ハーフブリッジ型や３相交流を生成するパワーコンディショナでも同様の構成により同じ効果を得ることができる。
【００５５】
図１０は、本実施の形態の変形例におけるセルモジュールの回路図である。
【００５６】
上述の実施の形態においては、セルモジュール２１〜２４に使用されるスイッチ３１は４つとして説明したが、図１０に示すように１つのセルモジュール２１〜２４に含まれるスイッチ３１は２つであっても同様の効果を得ることができる。
【００５７】
図１１は、本実施の形態のパワーコンディショナの他の変形例の回路図である。図１２は、本実施の形態の他の変形例におけるセルモジュールの回路図である。
【００５８】
この変形例において、直流電源９０は、それぞれのセルモジュール９１，９２，９３，９４の一部として構成されている。この変形例は、たとえば直流電源９０である太陽光発電装置を１枚ずつ制御するマイクロコンバータとして機能する。
【００５９】
この変形例でも、それぞれのセルモジュール９１，９２，９３，９４には、６つの半導体スイッチが用いられている。これら６つのスイッチのうち、２つのスイッチ３１はＭＭＣ交流接続用、２つのスイッチ３４−１，３４−２は２象限チョッパである充電回路用、２つのスイッチ３５は太陽光発電装置の昇圧チョッパ用として、それぞれ用いられている。
【００６０】
直流電源９０の出力は電流の正の向きのＤＣ成分のみである。蓄電装置３３は、この直流電源９０の出力電力と交流側へ出力する電力の電力バランスをとるためのＤＣ成分の制御と、蓄電装置ＭＭＣ交流側から流入するＡＣ成分に対しての脈動補償制御を行う。このように、上述の実施の形態と同様の制御を行うことにより、本変形例でも同様の動作を行わせることができる。
【００６１】
この変形例においても、交流出力電圧の脈動を増大させることなくそれぞれのセルモジュール内のキャパシタの容量を低減できる。その結果、セルモジュール９１，９２，９３，９４内のキャパシタ３２の容量を小さくすることができる。このため、セルモジュール９１，９２，９３，９４内のキャパシタ３２として、たとえば電解コンデンサなどの大容量であるが寿命が短いコンデンサではなく、寿命の長いフィルムコンデンサ、あるいは、セラミックコンデンサを用いることができる。
【符号の説明】
【００６２】
１０…入力端子、１２，９０…直流電源、１３，５０，６０…パワーコンディショナ、１４…出力端子、１６…負荷、１８…商用電力系統、２１，２２，２３，２４，２５，２６，９１，９２，９３，９４…セルモジュール、３１…スイッチ、３２…キャパシタ、３３…バッテリー、３４…充電用スイッチ、４１…出力制御装置、４３…充電回路制御装置
【図１】
2018038109.tif 000003
【図２】
2018038109.tif 000004
【図３】
2018038109.tif 000005
【図４】
2018038109.tif 000006
【図５】
2018038109.tif 000007
【図６】
2018038109.tif 000008
【図７】
2018038109.tif 000009
【図８】
2018038109.tif 000010
【図９】
2018038109.tif 000011
【図１０】
2018038109.tif 000012
【図１１】
2018038109.tif 000013
【図１２】
2018038109.tif 000014
【国際調査報告】
2018038109.tif 000015
2018038109.tif 000016